(57)【要約】  【課題】  誘導加熱と高周波加熱とを併用した加熱調理器において、調理途中の容器内の食品の撹拌や調味料の添加などの調理作業性を高めるとともに、それぞれの加熱調理を良好に行う。  【解決手段】  調理庫３の前面開口を傾斜状に形成するとともに、庫内の横幅を奥行きよりも大きくする。それにより、両手鍋等の容器９０も余裕を以て庫内に収納することができ、容器９０内の食品の状態が確認し易く、撹拌等の作業も行い易くなる。また、調理庫の底面部３ｂの下方に誘導加熱ユニット２０を配置することでトレイ７上に載置された容器９０を効率良く誘導加熱するとともに、天面部３ａに設けたマイクロ波拡散室３３の上壁に穿孔した貫通孔３２ａを通して調理庫３内にマイクロ波を放射することにより、深底の容器９０内に収容された食品にもマイクロ波を十分に行き届かせて高周波加熱も良好に行う。【選択図】  図６
2006210034.tif 000002
【特許請求の範囲】
【請求項１】
外形を成す筐体と、
食品が収容された容器を内部に収納するために前記筐体の内側に配設された調理庫であって、上部が下部よりも後退するように傾斜状に形成された前面開口を有するとともに庫内底面の横幅が奥行きよりも大きく形成されて成る調理庫と、
該調理庫の前面開口を閉塞することで該調理庫を略密閉する縦開き式のドアと、
前記筐体の前面であって前記ドアの上方、又は該ドア自体に配置された操作部と、
前記調理庫の後方に配置されたマグネトロン、及び、該マグネトロンから発生したマイクロ波を前記調理庫の天面に形成されたマイクロ波放出用の給電口まで案内する導波管、を含む高周波加熱手段と、
前記調理庫内に収納された前記容器を誘導加熱するために該調理庫の底面下方であって且つ該底面の略中央に配設された誘導加熱コイルを含む誘導加熱手段と、
前記調理庫内に収納された食品を直接的に加熱調理するために、該調理庫の後面に配設された加熱源であるヒータ、及び、該調理庫内の空気を吸引して前記ヒータで加熱した後に該調理庫内に送り込むファン、を含むヒータ加熱手段と、
を備えることを特徴とする加熱調理器。
【請求項２】
外形を成す筐体と、
食品が収容された容器を内部に収納するために前記筐体の内側に配設され、庫内底面の横幅が奥行きよりも大きく形成されて成る、ドアにより略密閉可能な調理庫と、
前記調理庫の外側に配置されたマグネトロン、及び、該マグネトロンから発生したマイクロ波を前記調理庫の天面に形成されたマイクロ波放出用の給電口まで案内する導波管、を含む高周波加熱手段と、
前記調理庫内に収納された前記容器を誘導加熱するために該調理庫の底面の下方に配設された誘導加熱コイルを含む誘導加熱手段と、
を備えることを特徴とする加熱調理器。
【請求項３】
外形を成す筐体と、
食品が収容された容器を内部に収納するために前記筐体の内側に配設された調理庫であって、上部が下部よりも後退するように傾斜状に形成された前面開口を有する調理庫と、
該調理庫の前面開口を閉塞することで該調理庫を略密閉する縦開き式のドアと、
前記調理庫の外側に配置されたマグネトロン、及び、該マグネトロンから発生したマイクロ波を前記調理庫の天面、後面又は側面に形成されたマイクロ波放出用の給電口まで案内する導波管、を含む高周波加熱手段と、
前記調理庫内に収納された前記容器を誘導加熱するために該調理庫の底面の下方に配設された誘導加熱コイルを含む誘導加熱手段と、
を備えることを特徴とする加熱調理器。
【請求項４】
外形を成す筐体と、
食品が収容された容器を内部に収納するために前記筐体の内側に配設され、庫内底面の横幅が奥行きよりも大きく形成されて成る、ドアにより略密閉可能な調理庫と、
前記調理庫の後方に配置されたマグネトロン、及び、該マグネトロンから発生したマイクロ波を前記調理庫の天面、後面又は側面に形成されたマイクロ波放出用の給電口まで案内する導波管、を含む高周波加熱手段と、
前記調理庫内に収納された前記容器を誘導加熱するために該調理庫の底面の下方に配設された誘導加熱コイルを含む誘導加熱手段と、
を備えることを特徴とする加熱調理器。
【請求項５】
外形を成す筐体と、
食品が収容された容器を内部に収納するために前記筐体の内側に配設され、庫内底面の横幅が奥行きよりも大きく形成されて成る、ドアにより略密閉可能な調理庫と、
前記調理庫の後方に配置されたマグネトロン、及び、該マグネトロンから発生したマイクロ波を前記調理庫の天面又は側面に形成されたマイクロ波放出用の給電口まで案内する導波管、を含む高周波加熱手段と、
前記調理庫内に収納された前記容器を誘導加熱するために該調理庫の底面の下方に配設された誘導加熱コイルを含む誘導加熱手段と、
前記調理庫内に収納された食品を直接的に加熱調理するために、該調理庫の後面に配設された加熱源であるヒータ、及び、該調理庫内の空気を吸引して前記ヒータで加熱した後に該調理庫内に送り込むファン、を含むヒータ加熱手段と、
を備えることを特徴とする加熱調理器。
【請求項６】
外形を成す筐体と、
食品が収容された容器を内部に収納するために前記筐体の内側に配設され、庫内底面の横幅が奥行きよりも大きく形成されて成る、ドアにより略密閉可能な調理庫と、
前記調理庫の外側に配置されたマグネトロン、及び、該マグネトロンから発生したマイクロ波を前記調理庫の天面、後面又は側面に形成されたマイクロ波放出用の給電口まで案内する導波管、を含む高周波加熱手段と、
前記調理庫内に収納された前記容器を誘導加熱するために該調理庫の底面の下方に配設された誘導加熱コイルを含む誘導加熱手段と、
を備えることを特徴とする加熱調理器。
【請求項７】
前記ドアは縦開き式であることを特徴とする請求項２、４、５、又は６に記載の加熱調理器。
【請求項８】
前記縦開き式のドアを全開したときに、略鉛直上方を向く該ドアの内面と前記調理庫の底面とがほぼ面一の水平状態となることを特徴とする請求項１、３、又は７に記載の加熱調理器。
【請求項９】
前記調理庫の一方の側面に該調理庫内に空気を取り込むための開口を、他方の側面に該調理庫内の空気を排出するための開口を備えることを特徴とする請求項１〜８のいずれかに記載の加熱調理器。
【発明の詳細な説明】
【技術分野】
【０００１】
本発明は、調理庫内に収納された食品を加熱調理するために高周波加熱部と誘導加熱部とを併せ持つ複合型の加熱調理器に関する。
【背景技術】
【０００２】
電子レンジはマイクロ波により食品を直接高周波加熱するため、温め加熱などの高速調理には非常に効果を発揮するものの、食品に焦げ目を付けることができず、焦げ目付け調理には不向きであった。一方、近年普及が進んでいる誘導加熱（ＩＨ）調理器は誘導加熱により磁性金属製の鍋などを加熱して調理を行うため、焦げ目付け調理や煮炊き調理などに最適である。そこで、上記のような高周波加熱による加熱調理の欠点を補うために、誘導加熱調理を併用した複合型の加熱調理器が従来より知られている。
【０００３】
例えば特許文献１に記載の加熱調理器では、略箱形状の調理庫の底面の下方に誘導加熱コイルが配置され、該コイルから発生した磁束により調理庫底面上に載置された調理皿を誘導加熱することができるようになっている。他方、調理庫の側面の外方にはマグネトロンが配置され、該マグネトロンから発生したマイクロ波が調理庫側面に形成された給電口を経て調理庫内に供給され、それによって調理皿上に置かれた食品を高周波加熱することができるようになっている。
【０００４】
この種の加熱調理器は、誘導加熱可能な構造の鍋やフライパンなどの容器内に収容された食品に対し、焦げ目付け調理や煮込み調理を行うのに好適である。こうした調理の場合、容器への内容物（食品）の焦げ付きを防止するために調理途中で内容物を撹拌したり裏返したり、或いは調味料などを添加したりする必要が生じることが多い。しかしながら、上記のような従来の加熱調理器はそうした調理に伴う各種作業の作業性があまり考慮されていないため、調理者が調理庫内の狭い空間に手を入れて作業を行ったり、或いは容器を一旦調理庫から取り出して作業を行ったりする必要がある。そのため、作業性が悪く、高温になっている容器に手が触れるおそれがある。或いは、容器を調理庫から取り出すことによって食品の温度が下がり、調理時間が長引いたり食味を損なったりすることもある。
【０００５】
また、特に深い容器に収容されている食品を高周波加熱する際に、多くの場合、容器自体はマイクロ波を遮断する特性を有するため、上記従来の加熱調理器のような構成では、容器内の食品にマイクロ波が十分には行き届きにくく、所定の調理時間だけ加熱を行っても調理が不十分となるおそれがある。
【０００６】
【特許文献１】特開２００４−３２７２６０号公報
【発明の開示】
【発明が解決しようとする課題】
【０００７】
本発明は上記のように高周波加熱と誘導加熱とを併用した加熱調理器に特有の課題を解決するために成されたものであり、その主な目的とするところは、調理の際の使い勝手を向上させるとともに、いずれの加熱をも良好に行って両加熱のそれぞれの利点を十分に活かした加熱調理を行うことができる加熱調理器を提供することである。
【課題を解決するための手段】
【０００８】
上記課題を解決するために成された第１発明に係る加熱調理器は、
外形を成す筐体と、
食品が収容された容器を内部に収納するために前記筐体の内側に配設された調理庫であって、上部が下部よりも後退するように傾斜状に形成された前面開口を有するとともに庫内底面の横幅が奥行きよりも大きく形成されて成る調理庫と、
該調理庫の前面開口を閉塞することで該調理庫を略密閉する縦開き式のドアと、
前記筐体の前面であって前記ドアの上方、又は該ドア自体に配置された操作部と、
前記調理庫の後方に配置されたマグネトロン、及び、該マグネトロンから発生したマイクロ波を前記調理庫の天面に形成されたマイクロ波放出用の給電口まで案内する導波管、を含む高周波加熱手段と、
前記調理庫内に収納された前記容器を誘導加熱するために該調理庫の底面下方であって且つ該底面の略中央に配設された誘導加熱コイルを含む誘導加熱手段と、
前記調理庫内に収納された食品を直接的に加熱調理するために、該調理庫の後面に配設された加熱源であるヒータ、及び、該調理庫内の空気を吸引して前記ヒータで加熱した後に該調理庫内に送り込むファン、を含むヒータ加熱手段と、
を備えることを特徴としている。
【０００９】
上記課題を解決するために成された第２発明に係る加熱調理器は、
外形を成す筐体と、
食品が収容された容器を内部に収納するために前記筐体の内側に配設され、庫内底面の横幅が奥行きよりも大きく形成されて成る、ドアにより略密閉可能な調理庫と、
前記調理庫の外側に配置されたマグネトロン、及び、該マグネトロンから発生したマイクロ波を前記調理庫の天面に形成されたマイクロ波放出用の給電口まで案内する導波管、を含む高周波加熱手段と、
前記調理庫内に収納された前記容器を誘導加熱するために該調理庫の底面の下方に配設された誘導加熱コイルを含む誘導加熱手段と、
を備えることを特徴としている。
【００１０】
上記課題を解決するために成された第３発明に係る加熱調理器は、
外形を成す筐体と、
食品が収容された容器を内部に収納するために前記筐体の内側に配設された調理庫であって、上部が下部よりも後退するように傾斜状に形成された前面開口を有する調理庫と、
該調理庫の前面開口を閉塞することで該調理庫を略密閉する縦開き式のドアと、
前記調理庫の外側に配置されたマグネトロン、及び、該マグネトロンから発生したマイクロ波を前記調理庫の天面、後面又は側面に形成されたマイクロ波放出用の給電口まで案内する導波管、を含む高周波加熱手段と、
前記調理庫内に収納された前記容器を誘導加熱するために該調理庫の底面の下方に配設された誘導加熱コイルを含む誘導加熱手段と、
を備えることを特徴としている。
【００１１】
上記課題を解決するために成された第４発明に係る加熱調理器は、
外形を成す筐体と、
食品が収容された容器を内部に収納するために前記筐体の内側に配設され、庫内底面の横幅が奥行きよりも大きく形成されて成る、ドアにより略密閉可能な調理庫と、
前記調理庫の後方に配置されたマグネトロン、及び、該マグネトロンから発生したマイクロ波を前記調理庫の天面、後面又は側面に形成されたマイクロ波放出用の給電口まで案内する導波管、を含む高周波加熱手段と、
前記調理庫内に収納された前記容器を誘導加熱するために該調理庫の底面の下方に配設された誘導加熱コイルを含む誘導加熱手段と、
を備えることを特徴としている。
【００１２】
上記課題を解決するために成された第５発明に係る加熱調理器は、
外形を成す筐体と、
食品が収容された容器を内部に収納するために前記筐体の内側に配設され、庫内底面の横幅が奥行きよりも大きく形成されて成る、ドアにより略密閉可能な調理庫と、
前記調理庫の後方に配置されたマグネトロン、及び、該マグネトロンから発生したマイクロ波を前記調理庫の天面又は側面に形成されたマイクロ波放出用の給電口まで案内する導波管、を含む高周波加熱手段と、
前記調理庫内に収納された前記容器を誘導加熱するために該調理庫の底面の下方に配設された誘導加熱コイルを含む誘導加熱手段と、
前記調理庫内に収納された食品を直接的に加熱調理するために、該調理庫の後面に配設された加熱源であるヒータ、及び、該調理庫内の空気を吸引して前記ヒータで加熱した後に該調理庫内に送り込むファン、を含むヒータ加熱手段と、
を備えることを特徴としている。
【００１３】
上記課題を解決するために成された第６発明に係る加熱調理器は、
外形を成す筐体と、
食品が収容された容器を内部に収納するために前記筐体の内側に配設され、庫内底面の横幅が奥行きよりも大きく形成されて成る、ドアにより略密閉可能な調理庫と、
前記調理庫の外側に配置されたマグネトロン、及び、該マグネトロンから発生したマイクロ波を前記調理庫の天面、後面又は側面に形成されたマイクロ波放出用の給電口まで案内する導波管、を含む高周波加熱手段と、
前記調理庫内に収納された前記容器を誘導加熱するために該調理庫の底面の下方に配設された誘導加熱コイルを含む誘導加熱手段と、
を備えることを特徴としている。
【発明の効果】
【００１４】
第１発明に係る加熱調理器では、縦開き式のドアを開けると、上部が下部よりも後退するように傾斜状に調理庫の前面開口が開放する。したがって、調理庫の上部が後退している分だけ、調理庫内に収納された容器内を斜め上前方から覗き込みやすく、調理途中の容器内の食品の状態を目視で確認し易くなる。また、容器内の食品を撹拌したり調味料などを添加したりする際に、調理庫の天面の前部が邪魔になりにくいので、そうした調理作業が行い易く、容器や調理庫内面に調理者の手が触れにくくなる。また、調理途中で容器を前方に引き出して上記のような調理作業を行う場合でも、前方への引き出し量が少なくて済むので作業が効率良く行え、食品の温度も下がりにくくなる。
【００１５】
また、ドアを開放した際に調理庫の庫内底面の横幅は奥行きよりも大きくなっている。そのため、鍋等の容器を調理庫内に収納したときにその容器の左右の庫内空間の余裕を確保することができ、例えば調理者が両手鍋の把手を両手で掴んだ状態で、無理なく調理庫内にその鍋を入れたり逆に調理庫内からその鍋を取り出したりすることができる。
【００１６】
なお、調理庫の庫内底面の横幅を大きくした場合にそれに伴って筐体の横幅も大きくしてしまうと、レンジ台などの所定の設置場所に本加熱調理器を設置できなくなったり、横がはみ出てしまったりするなどの不具合が生じる。したがって、調理庫側面と筐体側面との間の距離はできるだけ短くして、調理庫の内部空間の横幅寸法が大きい場合でも筐体の横幅寸法を抑制することが望ましい。
【００１７】
また第１発明に係る加熱調理器では、調理庫内に収納された食品を加熱調理するために、高周波加熱手段、誘導加熱手段、及びヒータ加熱手段の３つの相違する方式の加熱手段が備えられており、そのうち、誘導加熱手段に含まれる誘導加熱コイルは調理庫底面の下方に配設されている。したがって、誘導加熱コイルと調理庫内に収納される容器の底面との距離は短く、誘導加熱コイルから発生した磁束のエネルギーが大きく減衰することなく容器の底面に作用して効率よくジュール熱を発生させる。また、通常、容器は調理庫底面の中央付近に置かれる（或いは、そうした位置に容器を置くように載置位置のマーキングを施す）が、上記構成では、誘導加熱コイルは調理庫底面の下方で且つ略中央に設置されているため、上記のような位置に置かれた容器に効率良く磁束を貫通させ、高効率の誘導加熱を行うことができる。
【００１８】
一方、比較的余裕のある調理庫後面と筐体後面との間の空間には、高周波加熱手段を構成するマグネトロンが配置されているが、そのマグネトロンにより発生するマイクロ波を調理庫内に放出するための給電口は調理庫の天面に形成されている。したがって、この給電口から降り注ぐように下方にマイクロ波が放出されるため、深型の容器に収容されている食品にも、容器に遮られることなくマイクロ波が十分に当たる。それによって、その食品を高周波加熱により良好に調理することができる。
【００１９】
さらにまた、調理庫後面と筐体後面との間の空間には、ヒータ及びファンを含むヒータ加熱手段も配置されており、調理庫の後面から熱風を調理庫内に送り込む。例えばオーブン機能を利用してパンなどを焼く場合には、調理庫内に水平に架設した焼皿が使用されるが、調理庫の後面から横方向に吹き出した熱風はこうした焼皿で遮られることなく円滑に流れ庫内を循環する。それにより、焼皿の上に載置された食品をむらなく加熱して、良好に仕上げることができる。
【００２０】
なお、上記３つの加熱手段は、同時に使用することもできるし、同一の食品に対して適宜切り換えて組み合わせて使用することもできる。
【００２１】
第２発明に係る加熱調理器では、第１発明に係る加熱調理器と同様に、ドアを開放した際に調理庫の庫内底面の横幅が奥行きよりも大きくなっている。そのため、鍋等の容器を調理庫内に収納したときにその容器の左右の庫内空間の余裕を確保することができ、例えば調理者が両手鍋の把手を両手で掴んだ状態で、無理なく調理庫内にその鍋を入れたり逆に調理庫内から鍋を取り出したりすることができる。
【００２２】
また、第１発明に係る加熱調理器と同様に、調理庫の外側に配置されたマグネトロンにより発生するマイクロ波を調理庫内に放出するための給電口が調理庫の天面に形成されているため、この給電口から降り注ぐように下方にマイクロ波が放出される。それにより、深型の容器に収容されている食品にも、容器に遮られることなくマイクロ波が十分に当たり、誘導加熱による加熱調理に加えて、高周波加熱により容器内の食品を良好に調理することができる。
【００２３】
第３発明に係る加熱調理器では、第１発明に係る加熱調理器と同様に、縦開き式のドアを開けると、上部が下部よりも後退するように傾斜状に調理庫の前面開口が開放する。したがって、調理庫の上部が後退している分だけ、調理庫内に収納された容器内を斜め上前方から覗き込みやすく、調理途中の容器内の食品の状態を目視で確認し易くなる。また、容器内の食品を撹拌したり調味料などを添加したりする際に、調理庫の天面の前部が邪魔になりにくいので、そうした調理作業が行い易く、容器や調理庫内面に調理者の手が触れにくくなる。また、調理途中で容器を前方に引き出して上記のような作業を行う場合でも、前方への引き出し量が少なくて済むので、作業が効率良く行え、食品の温度も下がりにくくなる。
【００２４】
また、調理庫の天面、後面又は側面に形成されている給電口から調理庫内にマイクロ波が放出され、容器に収容されている食品にもマイクロ波が十分に当たる。それにより、誘導加熱による加熱調理に加えて、高周波加熱により容器内の食品を良好に調理することができる。
【００２５】
第４発明に係る加熱調理器では、第１及び第２発明に係る加熱調理器と同様に、ドアを開放した際に調理庫の庫内底面の横幅は奥行きよりも大きくなっている。そのため、鍋等の容器を調理庫内に収納したときにその容器の左右の庫内空間の余裕を確保することができ、例えば調理者が両手鍋の把手を両手で掴んだ状態で、無理なく調理庫内にその鍋を入れたり逆に調理庫内から鍋を取り出したりすることができる。
【００２６】
また、第１発明に係る加熱調理器と同様に、比較的余裕のある調理庫後面と筐体後面との間の空間には、高周波加熱手段を構成するマグネトロンが配置されており、そのマグネトロンにより発生するマイクロ波が調理庫の天面、後面又は側面に設けた給電口を通して調理庫内に放出される。したがって、誘導加熱による加熱調理に加えて、高周波加熱により容器内の食品を良好に調理することができる。
【００２７】
第５発明に係る加熱調理器では、第１、第２及び第４発明に係る加熱調理器と同様に、ドアを開放した際に調理庫の庫内底面の横幅は奥行きよりも大きくなっている。そのため、鍋等の容器を調理庫内に収納したときにその容器の左右の庫内空間の余裕を確保することができ、例えば調理者が両手鍋の把手を両手で掴んだ状態で、無理なく調理庫内にその鍋を入れたり逆に調理庫内から鍋を取り出したりすることができる。
【００２８】
また、第１発明と同様に、誘導加熱手段、高周波加熱手段、及びヒータ加熱手段を同時に使用して、或いは、同一の食品に対して上記加熱手段を適宜切り換えることにより組み合わせて使用し、それぞれの加熱手段の特性を活かした良好な加熱調理を行うことができる。
【００２９】
第６発明に係る加熱調理器では、第１、第２、第４及び第５発明に係る加熱調理器と同様に、ドアを開放した際に調理庫の庫内底面の横幅は奥行きよりも大きくなっている。そのため、鍋等の容器を調理庫内に収納したときにその容器の左右の庫内空間の余裕を確保することができ、例えば調理者が両手鍋の把手を両手で掴んだ状態で、無理なく調理庫内にその鍋を入れたり逆に調理庫内から鍋を取り出したりすることができる。
【００３０】
また、第３発明に係る加熱調理器と同様に、調理庫の天面、後面又は側面に形成されている給電口から調理庫内にマイクロ波が放出され、容器に収容されている食品にもマイクロ波が十分に当たる。それにより、誘導加熱による加熱調理に加えて、高周波加熱により容器内の食品を良好に調理することができる。
【００３１】
なお、第１及び第３発明に係る加熱調理器では、ドアが縦開き式であるため、設置場所の左右に空間の余裕が無いときにも、ドアを前方に完全に開放させて調理庫内に食品や容器を容易に出し入れすることができる。また、ドアを開いたときに手前に倒れたドアの上面を、食品を載せる等の目的で使用することができる。
【００３２】
もちろん、第２、第４、第５又は第６発明に係る加熱調理器においても、第１及び第３発明に係る加熱調理器と同様に、前記ドアを縦開き式の構成とすることができる。
【００３３】
また、こうした構成においては、前記縦開き式のドアを全開したときに、略鉛直上方を向く該ドアの内面と前記調理庫の底面とがほぼ面一の水平状態となる構成とすることが好ましい。
【００３４】
この構成によれば、例えば調理庫の底面上に載置した調理用のトレイを、前方に円滑にスライド移動させることができるので、トレイ上に置いた容器内の食品の撹拌や調味料の添加などの作業が一層容易になるとともに、トレイ上への容器の載置やその容器の取り出しも容易になる。
【００３５】
また、上記第１乃至第６発明に係る加熱調理器の一態様として、前記調理庫の一方の側面に該調理庫内に空気を取り込むための開口を、他方の側面に該調理庫内の空気を排出するための開口を備える構成とすることができる。
【００３６】
マイクロ波の給電口を調理庫の天面に設け、調理庫の両側面を上記のように空気取り込み用開口及び排気用開口に利用することで、調理庫と筐体との間の空間を有効に利用することができる。それによって、筐体の外形寸法を抑制しつつ、調理庫の庫内寸法をできるだけ広く確保することができる。
【００３７】
以上のように第１乃至第６発明に係る加熱調理器によれば、特に容器内に収容された食品の加熱調理を行う際に、その調理に伴う各種の調理作業の作業性を高め、その作業の安全性も確保することができる。また、高周波加熱による電子レンジ機能、ヒータ加熱によるオーブン・グリル機能に加えて、誘導加熱を併用し、それぞれの加熱の特性を活かして良好で効率的な加熱調理を実行することができる。
【発明を実施するための最良の形態】
【００３８】
以下、本発明の一実施例である加熱調理器について図面を参照して説明する。
【００３９】
図１は本実施例の加熱調理器においてドアを閉鎖した状態の外観斜視図、図２は本実施例の加熱調理器においてドアを全開した状態（食品を収容した容器有り）での外観斜視図、図３はドアを全開した状態（食品を収容した容器無し）での正面図（ａ）及び右側面図（ｂ）、図４は筐体の一部である外装カバーを取り外した状態の外観斜視図、図５はドアを全開にした状態での調理庫内部の様子を示す要部の上面透視図、図６はドアを閉鎖した状態での要部の右側面縦断面図、図７はトレイのせり出し動作を説明するための要部の右側面縦断面図である。
【００４０】
図１〜図３に示すように、この加熱調理器１は外形を形成する前面が傾斜した箱形状の筐体２を有し、筐体２の内部には前面が開放された調理庫３が形成されている。即ち、調理庫３の前面開口はその上端部が下端部よりも後退した傾斜状になっており、この調理庫３の前面開口は、前方下部に左右方向に延伸する水平軸を中心に回動自在である縦開き式のドア４により開閉される。ドア４の中央には調理庫３内部を透視可能な耐熱ガラス製の窓４ａが設けられている。また、筐体２の前面上部でドア４の閉鎖時にも隠れない位置には、複数の操作キーが配置されたキー入力部５ａとセグメントＬＣＤなどによる表示部５ｂとを有する操作パネル５が左右に細長く配設されており、調理者はキー入力部５ａで各種の加熱調理条件や運転開始・停止などを指示し、表示部５ｂにはそうした加熱調理条件や運転残り時間などが表示されるようになっている。
【００４１】
なお、本発明における操作部としての操作パネル５はその一部又は全ての機能をドア４の前面に配置してもよい。但し、ドア４を開放するとドア４前面は調理者から見えなくなるため、ドア４開放時にも必要となる可能性のある機能については筐体２の前面上部に設け、ドア４開放時に不要な又は重要でない機能についてはドア４前面に設けるとよい。例えば、ドア４開放時にも表示が見えるように表示部５ｂは筐体２の前面上部に配置し、後述する誘導加熱のための操作キーもドア４ではなく筐体２の前面上部に配置するとよい。一方、高周波加熱やヒータ加熱のための操作キーはドア４を閉めた状態で操作されるようにドア４に設けるとよい。
【００４２】
図４に示すように、筐体２を構成する外装カバーの内部には、天面部３ａ、底面部３ｂ、左側面部３ｃ、右側面部３ｄ、前面部３ｅ、後面部３ｆから成る調理庫３が設置され、この調理庫３内に収容された被加熱物を加熱調理するための後述する各加熱ユニットや電気回路等は、調理庫３の外側、つまり調理庫３を構成する上記各部と筐体２との間の空間に配置されている。
【００４３】
左側面部３ｃ及び右側面部３ｄの下部には調理庫３の内方に突出して略Ｌ字状のトレイガイド１１が左右一対に形成され、その上には２段のレール１２、１３が同様に左右一対に形成されている。トレイガイド１１は、主として高周波加熱と誘導加熱の併用による加熱調理のために、被加熱物である食品が収容され、少なくとも底部が誘導加熱可能な鉄やステンレスなどの磁性金属で形成された容器９０を上に載置する角皿状のトレイ７を前後に摺動自在に保持するためのものであり、トレイ７を良好に摺動させるために摩擦係数の小さなポリフェニレンサルファイド（ＰＰＳ）やテフロン（登録商標）などの樹脂が使用されている。トレイ７は後述の誘導加熱のために磁束を通過させる材料であって、且つマイクロ波により加熱されにくいように低損失の誘電体材料から構成され、ここでは耐熱セラミックガラス製である。また、レール１２、１３は主としてオーブン調理用などの焼皿やグリル皿を調理庫３内に架設するためのものである。
【００４４】
図５に示すようにトレイ７が調理庫３内に適切に収容された状態では、トレイ７の左右両縁部に延設されたフランジ７ａはトレイガイド１１の上に載っており、このトレイガイド１１に沿って前後に円滑に移動可能となっている。このトレイ７の上へ重量物である容器９０を置き易いように、また調理中に一旦加熱を中断して容器９０内の食品の状態を見たり調味料等を添加したり或いは撹拌したりし易いように、トレイ７を自動的に前方にせり出させるためのトレイ搬送機構５０が調理庫３の後面部３ｆの下部後方に設けられているが、これについては後で詳述する。なお、図５では容器９０に隠れて見えないが、トレイ７の上面には鍋等の容器を置く適切な位置を示す目印として円形状のマーキング７ｂが施されており、そのマーキング７ｂに合わせて容器を載置したときに最も適切な誘導加熱が行われるようになっている。したがって、以下の説明では、原則として容器９０はこのマーキング７ｂに従ってトレイ７上に置かれる場合を想定する。
【００４５】
図３及び図５に示すように、調理庫３の底面部３ｂの寸法は奥行き：Ｌｄ、横幅：Ｌｗであり、高さはＬｈである。特に底面部３ｂの横幅Ｌｗは奥行きＬｄよりも大きく形成されている。これは、図５に示すように容器９０として両手鍋を使用したときに、その両手鍋の把手９０ａ、９０ｂが両側面部３ｃ、３ｄとの間に十分な間隙Ｌａ、Ｌｂを有するように考慮された結果であり、それによって両手鍋をトレイ７上に載置する際又は逆に取り出す際に調理者が鍋の両把手９０ａ、９０ｂを余裕を以て掴めるようになっている。もちろん、トレイ７の上面に形成される上記マーキング７ｂも、上述のように容器９０の両把手９０ａ、９０ｂの側方の間隙Ｌａ、Ｌｂが十分に確保できるような位置に施されており、典型的には、その位置はトレイ７の中央付近である。
【００４６】
また、調理庫３の前面開口が傾斜状に形成されている理由の１つも上記と同じ理由である。即ち、このように前面部３ｅを傾斜させたことにより、図７（ａ）に示すように、調理庫３の前面開口の上縁部（天面部３ａの前縁部）の位置Ｐｂは調理庫３の前面開口の下縁部（底面部３ｂの前縁部）の位置Ｐａよりも距離Ｄだけ後退している。この位置Ｐｂは、容器９０が載置されたトレイ７がその搬送範囲の最前部までせり出した状態において、前後方向に容器９０の略中央部とほぼ一致する又はそれよりも後部側の位置になるように決められており、距離Ｄは位置Ｐｂと容器９０とが上記位置関係を満たすようになっている。こうした構成により、ドア４を開放しない状態でも窓４ａを通して、トレイ７上に載置された容器９０の上面が斜め上部前方から覗き込み易くなっている。また、図７（ａ）に示すように調理庫３内にトレイ７が収納された状態でも、容器９０内の食品を調理者が撹拌したり調味料を加えたりする際の作業が行い易くなっている。
【００４７】
さらにまた、図７（ｂ）に示すようにトレイ７が前方にせり出した状態では、容器９０の上面の半分程度以上が上から覗けるようになっている。それによって、調理者が容器９０内の食品の調理状態を一層確認し易く、撹拌や調味料の添加などの作業も一層行い易い。またこの状態では、容器９０の把手９０ａ、９０ｂが前面開口の近傍に位置しているか、或いは場合によっては前面開口から把手９０ａ、９０ｂの一部又は全部が外側に出ているので、調理者が両手鍋の把手９０ａ、９０ｂを持って容器９０を調理庫３内に出し入れする作業も非常に容易である。
【００４８】
この加熱調理器１では、誘導加熱、高周波加熱、及びヒータ加熱（オーブン加熱又はグリル加熱と呼ぶ場合もあるが本明細書ではヒータ加熱と呼称する）の３種類の異なる方式による加熱調理を行うために、それぞれに独立した加熱ユニットが設けられている。即ち、図６に示すように、調理庫３の底面部３ｂの下方であってその略中央には、トレイ７上に載置された容器９０を誘導加熱するための誘導加熱ユニット２０が設けられている。また、調理庫３の後面部３ｆの後方には、調理庫３内に収容された食品をヒータ加熱するためのヒータ加熱ユニット４０が設けられている。さらに、調理庫３の後面部３ｆ後方の左上部及び天面部３ａ上方には、調理庫３内に収容された（例えば容器９０内の）食品を電子レンジ調理するための高周波加熱ユニット３０が設けられている。
【００４９】
図１４は本実施例の加熱調理器１の電気系のブロック構成図である。制御部７０はマイクロコンピュータを中心に構成されており、インバータ駆動部７１を介して、上記誘導加熱ユニット２０に含まれるインバータ回路７３を駆動しインバータ回路７３の構成の一部となる誘導加熱コイル２４に高周波電流を流すとともに、インバータ回路７４を駆動して駆動電力を上記高周波加熱ユニット３０に含まれるマグネトロン３１に供給して駆動する。また、制御部７０は負荷駆動部７２を介して、高周波加熱ユニット３０に含まれるアンテナ駆動モータ３５、ヒータ加熱ユニット４０に含まれるヒータ４３及びファンモータ４５、さらにはトレイ搬送機構５０に含まれるトレイ搬送モータ５７のほか、後述する吸気ダクト９に空気を送り込むための冷却用ブロアモータ７７の動作を制御する。
【００５０】
また、制御部７０には、キー入力部５ａよりキー入力信号が、ドアスイッチ７５よりドア４の開閉状態を認識するドア開放検知信号が、温度センサ７６より調理庫３内の温度検知信号が、トレイ搬送機構５０に含まれるトレイ搬送位置検知スイッチ（マイクロスイッチ）６０より位置検知信号がそれぞれ入力され、さらには表示部５ｂに対し運転コースの設定情報や運転状況などについての表示制御信号を出力して表示を行わせる。制御部７０は運転プログラムが格納されたＲＯＭを備えており、この運転プログラムをＣＰＵ上で実行する過程で、上記のような各種の入力信号により調理者の操作や本機器の動作状態を監視しながら上記各部の動作を制御する。
【００５１】
次に、上記３つの加熱ユニットのうち、まず誘導加熱ユニット２０について図８及び図９によりその構成と動作を詳述する。図８（ａ）は本実施例の加熱調理器１の正面縦断面図、図８（ｂ）は図８（ａ）中のＡ部の拡大図、図９は誘導加熱ユニット２０の主要部の分解構造図である。
【００５２】
図９に示すように、調理庫３の底面部３ｂは、略中央に八角形状に絞り加工で形成した凹部２０１が形成され、その中央が大きく円形状に開口した開口部２０２を有するステンレス（ＳＵＳ３０４）製の主底板２００と、所定径の小孔２０４が多数形成された同じくステンレス（ＳＵＳ３０４）製のパンチング板２０３とから成り、両者はスポット溶接等の溶着によって一体化されている。上記パンチング板２０３は、凹部２０１に嵌め込まれる載置台２１と下部に設けられたグラスウールから成る円板状の断熱材２２で挟持される。載置台２１はトレイ７と同様に、誘導加熱のために磁束を通過させるものである必要があり、高周波加熱されにくいように低損失の誘電体材料である必要がある。また、耐熱性も必要である。そこで、ここでは載置台２１は結晶ガラスから構成されている。
【００５３】
載置台２１の周縁部と凹部２０１の内壁との間には隙間があるが、この隙間はシリコーン樹脂２６により充填されており、それによって調理庫３の底面はほぼ平坦化されている。また、この隙間を緊密に塞ぐことで、食品の残滓やゴミなどが隙間に入り込むことを防止できる。
【００５４】
断熱材２２の下方には、薄いマイカシート等の絶縁板２３を挟んで平板渦巻き状に巻回されて成る誘導加熱コイル２４が配設されている。断熱材２２、絶縁板２３、及び誘導加熱コイル２４は、主底板２００の下面にネジ等で固定されるポリプロピレン（ＰＰ）樹脂、アクリロニトリルブタジエンスチレン（ＡＢＳ）樹脂、ポリカーボネートアクリロニトリルブタジエンスチレン（ポリカＡＢＳ、ＰＣ／ＡＢＳ）樹脂、ポリエチレンテレフタレート（ＰＥＴ）樹脂、フェノール樹脂などの合成樹脂製のホルダ２５により、下方から主底板２００の下面に押し付けられるように保持されている。
【００５５】
この実施例では主底板２００の板厚は０．５ｍｍであり大きな重量の容器が載せられても十分な強度を有する。一方、パンチング板２０３の板厚は主底板２００の板厚よりも薄い０．１ｍｍであって主底板２００と比べると強度的に劣る。しかしながら、パンチング板２０３は、ホルダ２５により、誘導加熱コイル２４及び断熱材２２を介して下方から押し付けるように保持されているので、載置台２１と断熱材２２とで挟持された状態となっており補強がなされている。また、このようにして誘導加熱コイル２４を固定することにより、底面部３ｂと誘導加熱コイル２４との高さ方向の離間距離の個体差を少なくすることができる。
【００５６】
パンチング板２０３はその下方の誘導加熱コイル２４から発生する磁束を通過させる一方、後述するように調理庫３内に供給されるマイクロ波を阻止する機能を有する。このような磁束の通過効率の条件は、主としてパンチング板２０３の開口率と板厚とによって決まり、一方、マイクロ波の通過阻止条件は、主としてパンチング板２０３の小孔２０４の径と板厚とによって決まる。したがって、こうした要素を適宜に設定する必要がある。ここでは、１．４ｍｍ径の小孔を１．７ｍｍ間隔で設けたものを使用している。但し、板厚が薄い条件の下では必ずしも小孔が形成されていなくても、磁束は通過し得る。
【００５７】
図１３は、金属製の薄板を介して誘導加熱を行う場合について、その薄板の板厚、小孔の開口率、及び金属薄板無しで誘導加熱を行うときの電力に対する金属薄板を介して誘導加熱を行うときの電力の比、即ち電力比の関係をシミュレーションした結果を示すグラフである。この図では、電力比が１．０が損失が無い状態を示す。具体的には、例えば本実施例のように板厚が０．１ｍｍである場合、開口率が５０％であれば電力損失は１０％だけであり、開口が全くない場合でも電力損失は１８％程度である。板厚を０．０５ｍｍまで薄くすることが可能であれば開口が無くても電力損失は１０％程度に抑えられる。もちろん、板厚を薄くするほど強度が落ちるから、こうした条件も加味して適当な板厚、開口率（小孔のサイズと間隔）を決めればよい。
【００５８】
上記構成の誘導加熱ユニット２０において、制御部７０の制御の下に動作するインバータ駆動部７１によりインバータ回路７３から誘導加熱コイル２４に高周波電流が流されると交番磁束が発生し、その磁束はパンチング板２０３及び載置台２１を通過して調理庫３内に侵入し、さらにトレイ７を通過して少なくとも底部が磁性金属で形成された容器９０の底部を横切る。その誘導作用によって容器９０の底部に渦電流を誘起させ、ジュール熱により該容器９０を加熱し、その容器９０内に収容されている調理対象の食品を加熱する。このとき、容器９０の熱は載置台２１及びパンチング板２０３に伝わるがその下方の断熱材２２により遮断されるため、伝導してきた熱によって誘導加熱コイル２４が高温になることを防止することができる。また、容器９０の加熱出力は容器９０底面と誘導加熱コイル２４との距離にも依存するが、上述したように誘導加熱コイル２４がホルダ２５により底面部３ｂに対して固定されていることで上記距離の個体差が小さく、振動等によっても変動しないので安定した誘導加熱を行うことができる。
【００５９】
このようにして、トレイ７に載置された容器９０内の食品を誘導加熱により調理することができる。このときには、誘導加熱の対象は容器９０であって厳密に言えば被加熱物は容器９０であるが、容器９０内に収容された食品は間接的に加熱されるため、この食品が被加熱物であるとみなすことができる。この誘導加熱では容器９０自体が高温になるので、例えば容器９０に接触した肉、魚などの食品に焦げ目を付けた焦げ目調理を行うことができる。
【００６０】
なお、前述の誘導加熱コイル２４は、図７（ａ）に示すように調理庫３内にトレイ７が収納された状態で、トレイ７に設けられたマーキング７ｂの下方に位置するように、調理庫の底面部３ｂ下方に誘導加熱ユニット２０の一部として配置されている。即ち、円形状のマーキング７ｂは調理者がトレイ７上に容器９０を載置するための指標であると同時に、調理庫３内にトレイ７が収納された状態では誘導加熱コイル２４の位置を示し、誘導加熱コイル２４と同心円状のものとなる。また、前述のようにマーキング７ｂはトレイ７の幅、つまりは底面部３ｂの幅のほぼ中央に設けられているから、誘導加熱コイル２４も底面部３ｂの幅のほぼ中央に位置し、誘導加熱コイル２４により最良に誘導加熱されるように置かれた容器９０の把手９０ａ、９０ｂの両端と両側面部３ｃ、３ｄとの間の距離Ｌａ、Ｌｂはそれぞれ十分に確保されることになる。
【００６１】
次に高周波加熱ユニット３０について、図４及び図６によりその構成と動作を詳述する。調理庫３の後面部３ｆの後方左上部の空間にはマグネトロン３１が取り付けられ、調理庫３の天面部３ａの上方にはそのマグネトロン３１から前方に向かい途中で右方に屈曲されて天面部３ａの略中央まで延伸する導波管３２が配設されている。調理庫３の天面部３ａにはマイクロ波拡散室３３が形成されており、導波管３２の末端はマイクロ波拡散室３３の上部にまで延設され、この導波管３２内部とマイクロ波拡散室３３内部とを隔てるマイクロ波拡散室３３の上壁面には、本発明における給電口としての貫通孔３２ａが穿設されている。マイクロ波拡散室３３内には、鉛直方向に延伸する金属製円筒形状のアンテナ軸３４ａの下部に固定された、水平方向に延伸する金属製板状の放射アンテナ３４が配置されている。上記貫通孔３２ａには中央に貫通口を有する軸受け３２ｂが装着されており、放射アンテナ３４のアンテナ軸３４ａは軸受け３２ｂの貫通口に回転自在に挿通されている。このような構成により、放射アンテナ３４はアンテナ軸３４ａを中心に、マイクロ波拡散室３３内で回転自在となっている。
【００６２】
貫通孔３２ａ付近であって導波管３２の上部にはモータ軸３５ａを有するアンテナ駆動モータ３５が設置されている。このモータ軸３５ａは導波管３２の上壁面を上部から下方に貫通し、導波管３２内で放射アンテナ３４のアンテナ軸３４ａと接続されている。これにより、アンテナ駆動モータ３５の回転駆動力をモータ軸３５ａ、アンテナ軸３４ａを経て放射アンテナ３４に伝達している。また、マグネトロン３１から導波管３２内を通って案内されて来たマイクロ波は導波管３２内に露出しているアンテナ軸３４ａを介することで貫通孔３２ａを通過して放射アンテナ３４に伝播され、放射アンテナ３４から調理庫３内に放射される。このとき、アンテナ駆動モータ３５により放射アンテナ３４を回転させるので、放射アンテナ３４はマイクロ波を拡散しながら様々な方向に向けて放射することになる。
【００６３】
高周波加熱の際には、制御部７０の制御の下にインバータ駆動部７１によりインバータ回路７４が駆動されマグネトロン３１に駆動電力が供給されるとともに負荷駆動部７２を介してアンテナ駆動モータ３５が作動される。マグネトロン３１が駆動されると、マグネトロン３１から発生したマイクロ波は上述したように導波管３２内を通ってマイクロ波拡散室３３に至り、アンテナ駆動モータ３５により回転駆動される放射アンテナ３４により拡散されつつ調理庫３内に放出される。即ち、マイクロ波は調理庫３の天面のマイクロ波拡散室３３から降り注ぐように様々な方向に向かって放出され、さらに調理庫３の側面や後面或いはドア４の内面などに当たって反射する。したがって、調理庫３内に収容されている食品を満遍なく加熱することができる。
【００６４】
特に、図６に示すように底の深い容器９０内に収容されている食品を高周波加熱する場合でも、マイクロ波の給電口が天面部３ａに形成されていることによってマイクロ波が容器９０によって邪魔されにくく、容器９０内の食品に当たって被加熱物である該食品を効率良く加熱することができる。また、このとき上述したようにマイクロ波は底面部３ｂのパンチング板２０３を通過しないので、マイクロ波が調理庫３から漏洩することを防止することができる。
【００６５】
次にヒータ加熱ユニット４０について図５及び図６によりその構成と動作を詳述する。調理庫３の後面部３ｆの裏側には深皿状に凹んだヒータ室４１が形成され、ヒータ室４１の後方にはファンモータ４５が設置されている。ファンモータ４５の前後方向に延伸する回転軸はヒータ室４１の後壁を貫通し、その前端にファン４２が固定されている。ファン４２の外周側には該ファン４２を取り囲むようにシーズ線ヒータであるヒータ４３が設けられ、駆動電流がこのヒータ４３に供給されることにより加熱される。ファン４２は多数の翼体を所定角度間隔で円盤体に取り付けた構造を有しており、所定方向に回転すると中央前方から吸い込んだ空気を翼体の外周側へ送り出すような構造となっている。ヒータ室４１前方の後面部３ｆには、ファン４２の内周側に多数の吸気孔１４が形成され、ヒータ４３の前方には多数の熱風送給孔１５が形成されている。この吸気孔１４及び熱風送給孔１５もマイクロ波の通過を阻止するような寸法に設定されていることは当然である。
【００６６】
ヒータ加熱の際には、制御部７０の制御の下に負荷駆動部７２を介してヒータ４３に加熱電流が供給されるとともにファンモータ４５が作動される。ファンモータ４５によりファン４２が回転駆動されると、吸気孔１４を通して調理庫３内の空気をヒータ室４１内に吸い込み、外周側に送り出す。外周側には加熱されたヒータ４３が存在するから、送られた空気はヒータ４３との熱交換によって加熱され、熱風送給孔１５を通して調理庫３内へと戻る。このようにファン４２の作用により、調理庫３内とヒータ室４１との間で空気を循環させることにより、調理庫３内の空気の温度を２００℃以上もの高温にまで上昇させ、調理庫３内に収容されている被加熱物である食品をオーブン・グリル調理することができる。
【００６７】
また、上記のような加熱調理の際には食品から蒸気が発生し、この蒸気でドア４の窓４ａが曇って調理中に調理庫３内を透視しにくくなるので、この発生した蒸気を調理庫３内から外部に排出する必要がある。そのために、調理庫３の左側面部３ｃの上部には多数の空気取り込み孔８が形成されており、左側面部３ｃの外側に配設された吸気ダクト９を通して調理庫３の後部から導入された空気がこの空気取り込み孔８を経て調理庫３内部に送り込まれる。なお、図５、図６には現れていないが後面部３ｆの後方には冷却用ブロアモータ７７により駆動されるブロアが設けられ、筐体２の後方から吸い込んだ外気が電気回路やマグネトロン３１を冷却するために使用された後、集められて吸気ダクト９に送り込まれるように構成されている。一方、調理庫３の右側面部３ｄには多数の排気孔１０が形成されており、調理庫３内の空気は排気孔１０を経て、右側面部３ｄの外側に配設された図示しない排気ダクトを通して機外へと排出される。
【００６８】
本実施例の加熱調理器１では、特に誘導加熱による調理を行うため、容器９０内に収容されている食品の撹拌する等、調理中に使用者が食品に対して作業を行う機会が多い。こうした作業を容易に行えるようにするため、及び容器９０の出し入れを容易に行えるようにするために、ドア４を全開した状態で調理者がキー入力部５ａで所定のキー操作を行うと、トレイ搬送機構５０の動作によりトレイ７が自動的に前方にせり出して来るようになっている。このトレイ搬送機構５０の構成及び動作について、図７に加えて、図１０、図１１及び図１２により説明する。図１０はトレイ７が最大限前方にせり出した状態のドア４、トレイ７、トレイ搬送機構５０を示す要部の上面図、図１１は図１０の状態を右斜め上方から見たときの展開図、図１２はトレイ搬送機構５０の外観斜視図である。
【００６９】
トレイ搬送機構５０は、金属製のベース５１と、トレイ７の後部に当接してこれを前方に押し出す当接片５３を有するコ字状の摺動体５２と、摺動体５２を前後方向に移動可能に保持するガイド５４と、一端が垂直軸５５に回動自在に接続され他端がガイド５４の後端に水平方向に所定範囲で移動可能に接続されたアーム５６と、駆動源であるトレイ搬送モータ５７と、トレイ搬送モータ５７により一方向に回転駆動される回動体５８と、その回動体５８の駆動力を上記アーム５６に伝える連結体５９と、摺動体５２の位置を検知するためのマイクロスイッチであるトレイ搬送位置検知スイッチ６０と、を備える。
【００７０】
図７（ａ）に示すようにトレイ７が最大限、調理庫３内部に押し込まれた状態で、制御部７０の制御の下に負荷駆動部７２を介してトレイ搬送モータ５７が駆動されると、回動体５８が所定方向に回動し始め、連結体５９を介して摺動体５２は前方に牽引される。摺動体５２の移動方向はガイド５４により前後方向にのみ規制されているので、摺動体５２は前方に直進し、その移動に伴って前端の当接片５３はトレイ７の後部を押し、トレイ７は調理庫３内から水平前方にスライド移動することでせり出してゆく。回動体５８が約１／２周すると、今度は連結体５９を介して摺動体５２は後方に押される。したがって、トレイ７を最大限押し出した位置に残したまま、摺動体５２は後退する。トレイ７が最大限押し出された状態が図７（ｂ）に示す状態であり、トレイ７の前部は調理庫３内から前方に突出している。このとき、鉛直上方を向いたドア４の内面と調理庫３の底面部３ｂ上面とはほぼ面一の水平面を形成しているので、前方に突出したトレイ７はドア４の内面の上に載り、安定した水平状態を維持し得る。
【００７１】
そして、回動体５８が略１回転すると、回動体５８の突片がトレイ搬送位置検知スイッチ６０の可動片を押圧し、スイッチ６０がオンしたことを検知した制御部７０が負荷駆動部７２を介してトレイ搬送モータ５７への通電を遮断する。これにより、摺動体５２は元の位置、つまり調理庫３内の所定位置に収納された状態で停止する。このトレイ搬送機構５０はトレイ７を前方にスライド移動させるだけの機能を有し、トレイ７を後方に牽引する機能は持たないため、図７（ｂ）に示すように前方にせり出した状態にあるトレイ７を調理庫３内に押し入れる動作は調理者が手動で行う。もちろん、こうした後方へのスライド移動動作も自動で行えるような構成としてもよい。
【００７２】
上記のようなトレイ搬送機構５０は小型、特に薄型であるため、調理庫３の後面部３ｆと筐体２の後面の間の下部の空間に適切に収納される。また、構造が簡単であるため、故障も少なく高い信頼性を有する。
【００７３】
なお、ドア４が全開状態でないときにトレイ７が前方にせり出すと、ドア４にトレイ７が接触してトレイ搬送モータ５７に無理な負荷が掛かって故障したり、或いはドア４やトレイ７が破損したりするおそれがある。そこで、本実施例の加熱調理器１では、制御部７０はドアスイッチ７５によりドア４の開閉状態を監視し、ドアスイッチ７５からの検知信号によりドア４が全開していると判断したときにのみ、トレイ７を前方にせり出させるための入力キーの受け付けを許可し、実際にトレイ搬送モータ５７を動作させるようにしている。これにより、ドア４が閉鎖していたり半開き状態であったりするときに調理者が誤ってトレイ７を前方にスライド移動させる指示を行っても、トレイ７は全く移動せず、上述したような不具合が生じることを防止できる。
【００７４】
なお、上記実施例はいずれも本発明の一例にすぎず、本発明の趣旨の範囲で適宜、変形、修正又は追加などを行っても本発明に包含されることは明らかである。
【図面の簡単な説明】
【００７５】
【図１】本発明の一実施例による加熱調理器においてドアを閉鎖した状態の外観斜視図。
【図２】本実施例の加熱調理器においてドアを全開した状態（食品を収容した容器有り）での外観斜視図。
【図３】本実施例の加熱調理器においてドアを全開した状態（食品を収容した容器無し）での正面図（ａ）及び右側面図（ｂ）。
【図４】本実施例の加熱調理器において筐体の一部である外装カバーを取り外した状態の外観斜視図。
【図５】本実施例の加熱調理器においてドアを全開にした状態の要部の上面透視図。
【図６】本実施例の加熱調理器においてドアを閉鎖した状態の要部の右側面縦断面図。
【図７】本実施例の加熱調理器においてトレイのせり出し動作を説明するための要部の右側面縦断面図。
【図８】本実施例の加熱調理器の正面縦断面図（ａ）及び（ａ）中のＡ部の拡大図（ｂ）。
【図９】本実施例の加熱調理器における誘導加熱ユニットの主要部の分解構造図。
【図１０】本実施例の加熱調理器においてトレイが最大限前方にせり出した状態のドア、トレイ、トレイ搬送機構を示す要部の上面図。
【図１１】図１０の状態を右斜め上方から見たときの展開図。
【図１２】本実施例の加熱調理器におけるトレイ搬送機構の外観斜視図。
【図１３】金属製の薄板を介して誘導加熱を行う場合について、薄板の板厚、小孔の開口率、及び電力比の関係をシミュレーションした結果を示すグラフ。
【図１４】本実施例の加熱調理器の電気系のブロック構成図。
【符号の説明】
【００７６】
２…筐体
３…調理庫
３ａ…天面部
３ｂ…底面部
３ｃ…左側面部
３ｄ…右側面部
３ｅ…前面部
３ｆ…後面部
４…ドア
４ａ…窓
５…操作パネル
５ａ…キー入力部
５ｂ…表示部
７…トレイ
７ａ…フランジ
７ｂ…マーキング
８…吸気孔
９…吸気ダクト
１０…排気孔
１１…トレイガイド
１２、１３…レール
１４…吸気孔
１５…熱風送給孔
２０…誘導加熱ユニット
２１…載置台
２２…断熱材
２３…絶縁板
２４…誘導加熱コイル
２５…ホルダ
２６…シリコーン樹脂
２００…主底板
２０１…凹部
２０２…開口部
２０３…パンチング板
２０４…小孔
３０…高周波加熱ユニット
３１…マグネトロン
３２…導波管
３２ａ…貫通孔
３２ｂ…軸受け
３３…マイクロ波拡散室
３４…放射アンテナ
３４ａ…アンテナ軸
３５…アンテナ駆動モータ
３５ａ…モータ軸
４０…ヒータ加熱ユニット
４１…ヒータ室
４２…ファン
４３…ヒータ
４５…ファンモータ
５０…トレイ搬送機構
５１…ベース
５２…摺動体
５３…当接片
５４…ガイド
５５…垂直軸
５６…アーム
５７…トレイ搬送モータ
５８…回動体
５９…連結体
６０…トレイ搬送位置検知スイッチ
７０…制御部
７１…インバータ駆動部
７２…負荷駆動部
７３、７４…インバータ回路
７５…ドアスイッチ
７６…温度センサ
７７…冷却用ブロアモータ
９０…容器（食品が収容された容器）
９０ａ、９０ｂ…把手
【図１】
2006210034.tif 000003
【図２】
2006210034.tif 000004
【図３】
2006210034.tif 000005
【図４】
2006210034.tif 000006
【図５】
2006210034.tif 000007
【図６】
2006210034.tif 000008
【図７】
2006210034.tif 000009
【図８】
2006210034.tif 000010
【図９】
2006210034.tif 000011
【図１０】
2006210034.tif 000012
【図１１】
2006210034.tif 000013
【図１２】
2006210034.tif 000014
【図１３】
2006210034.tif 000015
【図１４】
2006210034.tif 000016